(57)【要約】      （修正有）【課題】万一亡くなった場合にその事実がなかなか発見されないケースや誤作動を防止し、亡くなった方を早期に発見し、外部に速やかに連絡できる孤独死早期発見装置を提供する。【解決手段】居住者の住居内行動エリアをカバーするように複数個の生存検知手段を構成すると共に、居住者が横切ると検知が行われるビーム状の狭い幅の検知エリアを有する通過検知手段をペットが移動しても検知されない高さ（１ｍ程度）に配設し、ペット等の小動物の生存行動と居住者の行動を区別できるように構成した。【選択図】図１
0003151594.tif 000002
【実用新案登録請求の範囲】
【請求項１】
居住者の住居内行動エリアをカバーするように複数個の生存検知手段を配設するとともに、前記居住者が横切ると検知が行われるビーム状の狭い幅の検知エリアを有する通過検知手段を所定の高さに配設し、複数の前記生存検知手段からの検知出力があるが、前記通過検知手段及び、ペット等の小動物が単独では出入りしない所定のエリアに配設された前記生存検知手段からの検知出力が所定の時間経過しても得られない場合、前記ペット等の小動物のみの生存行動と判定することを特徴とする孤独死早期発見装置。
【請求項２】
前記生存検知手段は居住者の住居内行動エリアをカバーするように複数個配設され、複数の前記生存検知手段のいずれからも検知出力が得られなくなってから所定時間経過した時に、所定の通報先に自動通報手段を介して自動通報を行うことを特徴とする請求項１記載の孤独死早期発見装置。
【請求項３】
ドアの開閉を検知するドア開閉検知手段と前記ドアの内側に居住者の通過検知手段を有し、前記ドア開閉検知手段と前記通過検知手段とで外出か入室かの外出検知手段が構成され、該外出検知手段で前記居住者の外出が検知された場合、孤独死早期発見装置の作動を中止し、前記外出検知手段で入室が検知されたときには前記孤独死早期発見装置が作動することを特徴とする請求項１〜２記載の孤独死早期発見装置。
【考案の詳細な説明】
【技術分野】
【０００１】  本考案は、住居内でペット等の小動物と暮らしている居住者が何等かの理由によって死亡したときに、その事実を早期に発見する孤独死早期発見装置に関する。
【背景技術】
【０００２】    近年、少子高齢化社会が進みつつあり、独居を選ぶ高齢者が増加している。このため、都市部では地域コミュニティが希薄になり人的交流が疎遠になりがちになり、隣家の異変に気付き難くなっている。最近の安否予防のシステムとして訪問介護や訪問サービス等の介護関係やパソコンを利用した在宅健康診断のサービス提供、また、日常使われている水道や電気ポットを利用したシステムも多く提案されている。一方、通信インフラの発展で普及した携帯電話、無線送信機等の活用でホームセキュリティサービスを提供する会社もある。関連出願として特開平７−９５３０７自動通報装置の送信機、特開２００６−３５０５９５  安否確認装置、特開平１１−１１０６６５独居事故発見装置等がある。
【考案の開示】
【考案が解決しようとする課題】
【０００３】  しかしながら、以上の技術によれば、これらは予防がベースでややもすると作り手の発想から考えられていて、使う側の気遣いに対する配慮に欠けたものとなっていたり、独居事故を発見するには十分とは言い難い。そこで、この考案は、住居内でペットと暮らしている居住者が本考案の装置を何ら意識することなく生活でき、万一亡くなった場合にその事実がなかなか発見されないケースや誤作動を防止し、亡くなった方を早期に発見し、外部に速やかに連絡ができる孤独死早期発見装置を提供することである。
【課題を解決するための手段】
【０００４】  本考案は、上記従来の課題を解決するためになされたものであり、居住者の住居内行動エリアをカバーするように複数個の生存検知手段を構成すると共に、居住者が横切ると検知が行われるビーム状の狭い幅の検知エリアを有する通過検知手段をペットが移動しても検知されない高さ（１ｍ程度）に配設し、ペット等の小動物の生存行動と居住者の行動を区別できるように構成した孤独死早期発見装置である。
【考案の効果】
【０００５】  本考案によれば、住居内でペット等の小動物と暮らしている居住者が住み慣れた居室内でなんらかの理由によって死亡し、その事実がなかなか発見されないで体が劣化することを防ぎ、関係先に速やかに連絡し、安らかな成仏を願うとともに住居環境の保全を図ることができる。
【考案を実施するための最良の形態】
【０００６】  本考案の一実施形態を、図１〜図３に示す。人感センサ１〜３および、人感センサ４０〜４１は、例えば人間の体温（３６．５℃）から放射される赤外線のピーク波長約１０μｍおよび動きに検知感度を有する焦電型赤外センサとレンズから構成され、動きを伴った居住者の存在検知が行われる。設置場所に応じて部屋全体の広いエリアやスポット的な検知は前記焦電型赤外センサに取り付けるレンズによってそれぞれ適した構成とする人感センサ１〜３および人感センサ４０〜４１を得ることができる。人感センサ１は居間、人感センサ２はキッチン、人感センサ３は寝室に配設すると共に、人感センサ４０はトイレ、人感センサ４１は風呂にそれぞれ配設される。このように居住者の住居内行動エリアをカバーするように配置することにより、通常の住居内での生活行動では人感センサ１〜３と人感センサ４０〜４１のいずれかから検知出力が得られる。人感センサ１〜３と人感センサ４０〜４１は照明のオン／オフ、日中の明るさ、暗闇、テレビやラジオの音などは検知しないので、季節や昼夜に関係なく居住者の生存状態を確実に検知できる。また、人感センサ１〜３と人感センサ４０〜４１は図示しないが、増幅器と２値化回路を有しているので、例えば人感センサ出力３１は居住者の住居内での行動エリア内の動きに応じて論理レベル‘１’が出力される。外出時は住居内に居住者が存在しないので前記人感センサ出力３１は論理レベル‘０’が出力される。しかし、ペット等の小動物と一緒に居住者が生活している場合、上記人感センサ１〜３と人感センサ４０〜４１の検知出力を見ているだけでは、万一、居住者が亡くなりペットだけが生存している場合、発見が難しい。この問題を解決するための本考案の一実施例について説明する。居住者の住居内行動エリアをカバーするように配設された人感センサ１〜３と人感センサ４０〜４１に加えて、居間とキッチンの間を居住者が横切ると検知が行われるビーム状の狭い幅の検知エリアを有する通過検知手段４３が、ペットが移動しても検知されない高さ（１ｍ程度）に配設される。更に居間と寝室の間を居住者が横切ると検知が行われるビーム状の狭い幅の検知エリアを有する通過検知手段４４が、同様にペットが移動しても検知されない高さ（１ｍ程度）に配設される。次に本考案の一実施例について動作を説明する。
人感センサ１〜３と人感センサ４０〜４１、及び通過検知手段４３〜４４は図示しないが、増幅器と２値化回路を有しているので、例えば人感センサ出力３１は前記居住者の住居内での行動エリア内の動きに応じて論理レベル‘１’が出力される。外出時は住居内に居住者が存在しないので人感センサ出力３１は論理レベル‘０’が出力される。通過検知手段４３〜４４も通過時の検知出力は論理レベル‘１’が出力され、それ以外は論理レベル‘０’が出力される。第一の論理和（ＯＲ）手段４には、人感センサ１〜３と人感センサ４０〜４１、通過検知手段４３〜４４が入力されて論理和（ＯＲ）演算が行われて第一の生存検知出力７が出力される。配設されている前記人感センサや前記通過検知手段のいずれかから検知出力があれば第一の生存検知出力７は、論理レベル‘１’が出力される。第一の孤独死判定手段９は、第一の生存検知出力７と外出検知手段８からの外出／入室検知信号１０を入力として第一の孤独死判定動作を行うように構成されている。
第一の孤独死判定手段９の詳細構成を図２に示す。図２でカウンタ２４は、第一の判定時間出力として例えば２４時間、第二の判定時間出力として３６時間、第三の判定時間出力として４８時間の時間カウントが可能なように構成されている。なお、これらの判定時間はスイッチ等で構成されるタイマー設定手段２５で変更は可能となるように構成されている。図２の発振器２０は前記カウンタ２４で時間カウントを行わせるためのクロック信号２１を出力する。クロック信号２１は論理積（ＡＮＤ）回路２２に入力し、外出／入室検知信号１０との論理積（ＡＮＤ）演算結果としての論理積出力クロック信号２３を出力する。論理積出力クロック信号２３がカウンタ２４に入力されると時間カウントが開始される。カウンタ２４は、生存検知出力７が入力されるたびに時間カウントがゼロに戻るように構成されている。このため生存検知出力７が入力されるたびに前記カウンタ２４の時間カウントはゼロに戻り、２４時間以上生存検知出力７が入力されないときにはじめて第一の判定時間出力が出力される。同様に３６時間、４８時間以上生存検知出力７が入力されないと第二の判定時間出力、第三の判定時間出力が出力される。これらの第一の判定時間出力、第二の判定時間出力、第三の判定時間出力は第三の孤独死判定手段５１に入力される。
図１で玄関ドアの開閉を検知するドアセンサ６は、光学式センサや磁気センサなどで構成される。住宅の玄関ドアに取り付けられたドアセンサ６は、居住者が出入りする時に開閉するたびに例えばドア開で論理値‘１’を出力し、ドア閉で論理値‘０’を出力するように構成されている。図１で外出検知手段８は例えばフリップフロップ等で構成され、ドアセンサ６からドア開信号‘１’が入力されると外出／入室検知信号１０に論理値‘０’を出力する。外出／入室検知信号１０の論理値‘０’と前記クロック信号２１が論理積手段２２に入力され、論理積（ＡＮＤ）手段２２の演算結果として論理積出力クロック信号２３のクロック信号がゼロとなり遮断される。この結果前記カウンタ２４は時間カウントを停止すると共に前記カウンタ２４に前記外出／入室検知信号１０の論理値‘０’がクリア信号として入力されるので、今までのカウント時間がクリアされて０になる。超音波センサあるいは赤外線センサ等を用いた通過センサ３０は玄関ドアの内側でドアの近傍に配設されて、帰宅時にドアセンサ６が作動後、通過センサ３０の検知出力で外出検知手段８のフリップフロップがセットされ外出／入室検知信号１０に入室信号としての論理値‘１’を出力する。この結果、図２の論理積手段２２のゲートが解除され前記論理積出力クロック信号２３としてクロック信号が前記カウンタ２４に入力されると共に、クリアが解除されて時間カウントが行われるようになる。外出検知手段８は、居住者が外出のために通過センサ３０を横切った時点では、まだ入室と判断し、外出から戻りドアが開き、ドアセンサ６から検知出力が得られた時点では、まだ外出と判断し、通過センサ３０を横切った時点で初めて再入室と判断するため、誤動作を防止できる。
図１で、トイレの人感センサ４０、風呂の人感センサ４１、通過センサ４３〜４４は第一の論理和（ＯＲ）手段４に入力されると共に、第二の論理和（ＯＲ）手段５に入力される。この第二の論理和（ＯＲ）手段５では、ペットが単独では出入りしないトイレ、風呂、およびペットの部屋間移動では検知されないトイレの人感センサ４０、風呂の人感センサ４１、通過センサ４３〜４４からの検知出力が論理和（ＯＲ）演算される。動作は、第一の論理和（ＯＲ）手段４と同じである。第二の生存検知出力５３は、ペットの行動からは出力がなく、居住者のみを検知するように構成される。第二の孤独死判定手段５０の動作は、第一の孤独死判定手段９と同様である。第一の孤独死判定手段出力５２と第二の孤独死判定手段出力５４は第三の孤独死判定手段５１に入力される。この第三の孤独死判定手段５１は図示しないが、第一の孤独死判定手段出力５２は論理値‘１’として出力されている場合、人感センサ１〜３と人感センサ４０〜４１と通過検知手段４３〜４４のすべてから検知出力が得られなくなって、２４時間以上経過した情報としてそのまま第一の判定出力１１が自動通報手段１４に入力されると共に、第一の孤独死判定手段出力は反転手段（インバータ）を介して第二の孤独死判定手段出力５４と論理積（ＡＮＤ）演算を行い第二の判定出力１１が自動通報手段１４に入力される。
第二の判定出力１２が論理値‘１’として出力されている場合、ペットのみが生存しているか、もし居住者が生存していたとしても、２４時間以上トイレも風呂も使用できていなく、更に部屋間の移動ができていない状況にあることになる。図１の自動通報手段１４に第一の判定出力１１または第二の判定出力１２入力される。自動通報手段１４は第一の判定出力１１、または第二の判定出力１２、が入力されると公衆電話回線１５を介して住居を管理する管理人室または管理センター等の第一の所定の場所１６に通報を行う。必要に応じて第二の所定の場所１７に通報を行う。
住宅を管理する前記管理人室または管理センターの所定の場所１６は、図示しないがモデムを介したパソコンで電話回線１５に接続され、自動通報情報の受信表示と記憶ができる構成となっている。また、必要に応じて、警報等が発せられるようにしてもよい。
前記第二の所定の場所１７へは、同様に電話回線１５を介して電話通報が可能となるように構成されている。前記自動通報手段１４には、あらかじめ居住者の居住場所を特定できるためのＩＤや第一の経過時間、第二の経過時間、第三の経過時間等の複数の時間経過の情報を予め記憶しておき、第一の判定出力１１、第二の判定出力１２判定出力を入力に対応して前記記憶情報を自動通報するように構成されている。また、図示はしないが電源は、停電対策としてバッテリーによるバックアップを行う構成としている。
【実施形態の効果】
【０００７】  本考案によれば、住居内でペット等の小動物と暮らしている居住者が住み慣れた居室内でなんらかの理由によって死亡し、その事実がなかなか発見されないで体が劣化することを防ぎ、関係先に速やかに連絡し、安らかな成仏を願うとともに住居環境の保全を図ることができる。
【図面の簡単な説明】
【０００８】
【図１】  本考案の一実施形態を示す図である。
【図２】  本考案の一実施形態の詳細を示すブロック図である。
【図３】  本考案の一実施形態の詳細を示すブロック図である。
【符号の説明】
【０００９】  １〜３  人感センサ    ４  第一の論理和（ＯＲ）手段
５  第二の論理和（ＯＲ）手段    ６  ドアセンサ
７  第一の生存検知出力（ＯＲ）信号    ８  外出検知手段
９  第一の孤独死判定手段    １４  自動通報手段    １５  公衆電話回線
１６  第一の所定の場所（管理人室）        ２０  発振器
２２  論理積（ＡＮＤ）手段    ２４  カウンタ
２５  タイマー設定手段    ３０  通過センサ    ４０〜４１  人感センサ
４３〜４４  通過検知手段    ５０  第二の孤独死判定手段
５１  第三の孤独死判定手段    ５２  第一の孤独死判定手段出力
５３  第二の生存検知出力（ＯＲ）信号
５４  第二の孤独死判定手段出力
【図１】
0003151594.tif 000003
【図２】
0003151594.tif 000004
【図３】
0003151594.tif 000005
【手続補正書】
【提出日】平成21年3月26日(2009.3.26)
【手続補正１】
【補正対象書類名】実用新案登録請求の範囲
【補正対象項目名】全文
【補正方法】変更
【補正の内容】
【実用新案登録請求の範囲】
【請求項１】
居住者の住居内行動エリアをカバーするように複数個の人感センサを配設するとともに、前記居住者が横切ると検知が行われるビーム状の狭い幅の検知エリアを有する通過検知手段を所定の高さに配設し、複数の前記人感センサからの検知出力があるが、前記通過検知手段及び、ペット等の小動物が単独では出入りしない所定のエリアに配設された前記人感センサからの検知出力が所定の時間経過しても得られない場合、前記ペット等の小動物のみの生存行動と判定することを特徴とする孤独死早期発見装置。
【請求項２】
前記人感センサは居住者の住居内行動エリアをカバーするように複数個配設され、複数の前記人感センサのいずれからも検知出力が得られなくなってから所定時間経過した時に、所定の通報先に自動通報手段を介して自動通報を行うことを特徴とする請求項１記載の孤独死早期発見装置。
【請求項３】
ドアの開閉を検知するドア開閉検知手段と前記ドアの内側に居住者の通過検知手段を有し、前記ドア開閉検知手段と前記通過検知手段とで外出か入室かの外出検知手段が構成され、該外出検知手段で前記居住者の外出が検知された場合、孤独死早期発見装置の作動を中止し、前記外出検知手段で入室が検知されたときには前記孤独死早期発見装置が作動することを特徴とする請求項１または２記載の孤独死早期発見装置。